(57)【要約】      （修正有）【課題】故障した際に、故障したエリアのみ交換することができるＬＥＤライト装置の構造を提供する。  【解決手段】主に一つのランプハウジング、複数の放熱器、複数のＬＥＤモジュール及び複数の電源供給器で構成するＬＥＤライト装置である。各一つの放熱器に対応して一つのＬＥＤモジュールと一つの電源供給器を設置することで一つのＬＥＤライトユニットを構成し、複数のＬＥＤライトユニットを該ランプハウジングに設置することで、一つのＬＥＤライト装置を構成する。【選択図】図３
0003176794.tif 000002
【実用新案登録請求の範囲】
【請求項１】
複数のＬＥＤライトユニット、一つのランプハウジングを含み、
各ＬＥＤライトユニットは一つの放熱器、一つのＬＥＤモジュール及び一つの電源供給器を含み、該ＬＥＤモジュールと電源供給器はそれぞれ該放熱器に設置し、
該ランプハウジングに前記の複数のＬＥＤライトユニットを組合せて設置することを特徴とするＬＥＤライト装置の構造。
【請求項２】
前記放熱器は一つの台座及び該台座の片側に設置する複数のフィンを具有し、該電源供給器を該フィンに設置し、該ＬＥＤモジュールを該台座のフィンと反対側に設置することを特徴とする請求項１記載のＬＥＤライト装置の構造。
【請求項３】
前記電源供給器を該ランプハウジングの中に設置し、前記放熱器とＬＥＤモジュールを該ランプハウジングの下方に設置することを特徴とする請求項１或いは請求項２記載のＬＥＤライト装置の構造。
【考案の詳細な説明】
【技術分野】
【０００１】
本考案は照明用のＬＥＤライトの構造に関し、特に実際の明るさのニーズに基づき組合せを拡充或いは減量することができ、及び故障時に局部の部品を交換できるＬＥＤライト装置の構造に関する。
【背景技術】
【０００２】
体積が小さく、省エネ及び使用寿命が長い特徴を持ち、更に高光度技術の進歩に加え、ＬＥＤ(ｌｉｇｈｔ  ｅｍｉｔｔｉｎｇ  ｄｉｏｄｅ発光ダイオード)を照明の用途に応用するのがますます一般的になってきた。ＬＥＤの体積が小さく、一個のＬＥＤの発光ルーメンでは一般の白熱電球、蛍光灯或いは現有の照明ライトと比較することができないため、現在のＬＥＤ照明ライトはいずれも複数個のＬＥＤを一つのＬＥＤモジュールに統合し、集中発光することで実用的な照明光度に達するようにしている。例えば複数のＬＥＤを特定の面積のプリント基板或いはランプシェード内に集めて発光させれば、一般の電球と同じ、またはそれよりも効率の良い照明効果を得ることができる。このほか、高い仕事率のＬＥＤの入力電力は僅か１５〜２０％を光に転換し、残りの８０〜８５％は熱に転換するため、ＬＥＤモジュールは効率の良い放熱装置を組み合わせて適切に放熱する必要があり、ＬＥＤチップのインターフェイスの温度が高すぎるために発光効率に影響を及ぼすと共に、寿命を縮めることになるのを避ける。
【０００３】
通常街灯或いはその他の屋外照明に使用されるＬＥＤライトの装置構造の殆どに含まれるのが放熱器、電源供給器とＬＥＤモジュールである。その中のＬＥＤモジュールはプリント基板に複数個のＬＥＤを設置し、プリント基板に電流を流すと発光する。放熱器は一つの台座及び台座に設置する複数のフィンを含む。ＬＥＤモジュールは台座のフィンの別面に設置することで、ＬＥＤモジュールに通電して発光する際に生じる熱を各フィンに伝え、更に気流によりフィンから発する熱を排出する。
【０００４】
従来技術のＬＥＤライト装置は照明の明るさのニーズに基づき、必要面積のＬＥＤモジュール及び必要数のＬＥＤチップを設置する。更に面積に対応する放熱器及び電力に対応する電源供給器を設置する。一旦ＬＥＤモジュール、放熱器及び電源供給器を組み合わせればライトモジュールを完成するが、仮に照明が必要な場所に必要な光度の明るさが違う場合、その都度ＬＥＤモジュールや放熱器、或いは電源供給器のみを拡充或いは減少することができず、新たに対応するフルセットのＬＥＤモジュール、放熱器及び電源供給器を組み合わせる必要があるなど、柔軟性及び経済性に欠ける。
【０００５】
このほか、ＬＥＤモジュールの中の一部のＬＥＤチップ或いはその他の電子部品の一部が故障した際に交換が必要な場合、故障した一部のエリアのみ交換することができず、ＬＥＤモジュールのフルセットを交換することになるため、故障していない部分を犠牲することになり、浪費するなどを鑑みて、更なる改善が必要であった。
【先行技術文献】
【特許文献】
【０００６】
【特許文献１】特開２０１０−９７９２６号公報
【考案の概要】
【考案が解決しようとする課題】
【０００７】
前記公知構造の欠点を解決するため、本考案の第１の目的は、ＬＥＤモジュール、放熱器及び電源供給器を含む従来技術のＬＥＤライト装置が、照明光度に応じて組立てる際に、随意にＬＥＤモジュールや放熱器或いは電源供給器の数量を拡大或いは減少できず、新たにフルセットのＬＥＤモジュール、放熱器及び電源供給器を交換しなければならず、組立の柔軟性及び経済性に欠ける問題を解決するＬＥＤライト装置を提供することにある。
【０００８】
本考案の第２の目的は、ＬＥＤモジュール、放熱器及び電源供給器を含む従来のＬＥＤライト装置では、一個或いは一部のＬＥＤチップの故障、或いはその他の電子部品の故障により交換が必要な場合、故障した一部のエリアのみ交換することができず、フルセットのＬＥＤモジュールを交換する必要があるため、浪費する問題を解決するＬＥＤライト装置を提供することにある。
【課題を解決するための手段】
【０００９】
上述の目的を解決するために、本考案はＬＥＤライト装置の構造を提供するものである。該ＬＥＤモジュールと放熱器はいずれも比較的小さい面積に設け、且つ各放熱器に一つの独立した比較的少ない電力の電源供給器と、比較的小さい面積のＬＥＤモジュールを設置し、照明光度のニーズに基づき自由にＬＥＤモジュール及び放熱器の面積全体を拡充或いは減少してからランプハウジングを組み合わせて、ＬＥＤライト装置の組合せの柔軟性及び経済性をアップする。また、中の一つ或いは一部のＬＥＤチップ、或いはその他の電子部品が故障した際、故障部分のＬＥＤモジュール或いは部品を交換するだけで、ＬＥＤモジュール或いは電子部品を全て交換する必要がない。
【００１０】
本考案は一つのランプハウジング、複数の放熱器、複数のＬＥＤモジュール及び複数の電源供給器を含む。各一つの放熱器は一つのＬＥＤモジュール及び一つの電源供給器を対応して設置し、一つのＬＥＤライトユニットを構成し、更に複数のＬＥＤライトユニットを一緒に該ランプハウジングに組み合わせて一つのＬＥＤライト装置を構成する。各電源供給器をそれぞれ一つの電源に接続し、それぞれＬＥＤライトユニットに電力を提供する。うちの一つのＬＥＤライトユニットが故障した際、該故障したＬＥＤライトユニットを交換するだけでよい。
【考案の効果】
【００１１】
本考案は複数の放熱器、複数のＬＥＤモジュール及び複数の電源供給器でＬＥＤライト装置を構成するため、一部分のＬＥＤチップ或いはその他の電子部品が故障した際には、該故障した部分のＬＥＤモジュール或いは部品のみを交換するだけでよい。
【図面の簡単な説明】
【００１２】
【図１】本考案におけるＬＥＤライト装置の立体図である。
【図２】本考案におけるＬＥＤライト装置の主な部品の組合せを示す立体分解図である。
【図３】本考案の複数のＬＥＤライト装置を並列した実施例の立体図である。
【図４】本考案の複数のＬＥＤライト装置を並列してランプハウジングに組み合わせる実施例の立体図である。
【図５】本考案の複数のＬＥＤライト装置を並列してランプハウジングに組み合わせた後、ランプハウジングの上蓋を開けて内部構造を示す実施例の立体図である。
【図６】本考案の複数のＬＥＤライト装置を並列してランプハウジングに組み合わせた後の実施例の仰視立体図である。
【考案を実施するための形態】
【００１３】
本考案によるＬＥＤライト装置の構造を明確に示すために図に沿って詳細な説明を行う。
【００１４】
図１及び図２はそれぞれ本考案におけるＬＥＤライトユニット１の構造及びＬＥＤライトユニット１を構成する主な部品の組合せを示す。図に示す本考案のＬＥＤライトユニット１は一つの放熱器１１、一つの電源供給器１２及び一つのＬＥＤモジュール１３を含む。該放熱器１１の構造は一つの台座１１０及び該台座１１０と接続する複数のフィン１１１を含む。該放熱器１１は押出技術を用いて台座１１０及びフィン１１１を一体成形する。ＬＥＤモジュール１３はプリント基板１３１に設置する複数のＬＥＤ１３２を含み、該ＬＥＤ１３２の数はユニット面積の照明光度によって定める。プリント基板１３１は放熱器１１の台座１１０に設置し、ＬＥＤ１３２が発光して熱を生じる際、熱は台座１１０から各フィン１１１に伝わり、更に自然環境の気流によって熱を奪って放熱する。或いは別途ファン(図に未掲載)を設置し、作動するファンが生じる気流によって熱を奪って放熱する。
【００１５】
本考案の電源供給器１２は各放熱器１１に設置し、最適な設置場所は電源供給器１２を放熱器１１のフィン１１１の上方である。設置方法は螺旋を電源供給器にある穴を通し、更に放熱器の穴に通して固定する。電源供給器１２はＡＣ電源と接続し、ＤＣ電源に変換してＬＥＤモジュール１３に使用するためのものである。
【実施例】
【００１６】
前記構造を介し、図３に示すように、本考案は照明光度のニーズに基づき、随意にＬＥＤライトユニット１の数を拡充或いは減少をすることができる。図４から図６に示すように、特定数量のＬＥＤライトユニット１を共に一つのランプハウジング２に組み合わせることで、電源供給器１２をランプハウジング２の中に収納する。該放熱器１１とＬＥＤモジュール１３はランプハウジング２の下方に位置し、ランプハウジング２の上方に更に複数の放熱孔２１１を具有する上蓋２１を覆うことで、ＬＥＤライト装置を構成する。
【産業上の利用可能性】
【００１７】
本考案は前記の構造によりＬＥＤライト装置の組合せが柔軟性及び経済性を伴うことで、従来技術のＬＥＤライト装置が随意にＬＥＤモジュール、放熱器或いは電源供給器の数量を拡充或いは減少できず、新たにフルセットのＬＥＤモジュール、放熱器及び電源供給器を組みなおさないといけないためによる組合せの柔軟性及び経済性に欠け、及びＬＥＤモジュール或いは電子部品が故障した際に、フルセットの交換が必要となる浪費問題などを解決する。
【００１８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１９】
１  ＬＥＤライトユニット
１１  放熱器
１１０  台座
１１１  フィン
１２  電源供給器
１３  ＬＥＤモジュール
１３１  プリント基板
１３２  ＬＥＤ
２  ランプハウジング
２１  上蓋
２１１  放熱穴
【図１】
0003176794.tif 000003
【図２】
0003176794.tif 000004
【図３】
0003176794.tif 000005
【図４】
0003176794.tif 000006
【図５】
0003176794.tif 000007
【図６】
0003176794.tif 000008